(57)【要約】【課題】医用コンファレンスのためのシステム及び方法を提供する。【解決手段】移動式デバイスは、アクセスデバイスから受け取った共有画像を含むデータを保存するための第１のデータ記憶（２２６）と、ユーザが観察、操作、アノテーション付与及び計測するために共有画像を表示するための第１のユーザインタフェース（２２４）を含む。この操作によって、移動式デバイスにおいてアクセスデバイスの位置と異なる観察用パラメータでの共有画像の表示が可能となる。移動式デバイスは、第１のユーザインタフェースを介して入力を受け取りかつ共有画像を含むコンテンツを第１のユーザインタフェースに提供するための第１のプロセッサ（２３０）を含み、該プロセッサはアクセスデバイスを介した入力の受け取り及び第１のユーザインタフェースに対するコンテンツを提供し、第１のユーザインタフェースを介して受け取った入力をアクセスデバイスに伝達している。【選択図】図６
2011238230.tif 000002
【特許請求の範囲】
【請求項１】
第１のアクセスデバイスと第２のアクセスデバイスの間での医用画像及び情報の共有を含むコンファレンシング方法であって、
第１のアクセスデバイスに関連付けされた第１のユーザに対して第２のアクセスデバイスに関連付けされた第２のユーザとのコンファレンスの要求を可能にさせる工程（１１０２；１１０４）と、
第２のユーザによるコンファレンスの受け容れを判定する工程（１１０６）と、
第１のアクセスデバイスと第２のアクセスデバイスの間でコンファレンスの開始を可能にさせる工程と、
第１のユーザに対して第２のアクセスデバイスに表示させようとする少なくとも１つの画像の選択を可能にさせる工程（１１０８）と、
第１のアクセスデバイスに第１の画像ビュー及び第２の画像ビューを表示する工程（１１１０）と、
第２のアクセスデバイスに第２の画像ビューを表示する工程（１１１２）と、
第１のアクセスデバイスに対して第１の画像ビューに対する制御の保持を可能にさせる工程と、
第１のアクセスデバイスのところにいる第１のユーザ及び第２のアクセスデバイスのところにいる第２のユーザに対して第２の画像ビューへの実質的に同時のコンテンツ追加を可能にさせる工程（１１１４；１１１６）と、
を含むコンファレンシング方法。
【請求項２】
ワークステーションと移動式デバイスの間でディジタル放射線学画像を共有する方法であって、
ワークステーションに関連付けされた第１のユーザに対して移動式デバイスに関連付けされた第２のユーザとのコンファレンスの要求を可能にさせる工程（１１０２；１１０４）と、
第２のユーザによるコンファレンスの受け容れを判定する工程（１１０６）と、
ワークステーションと移動式デバイスの間のコンファレンスの開始を可能とさせる工程と、
第１のユーザに対して第２のユーザと共有しようとする少なくとも１つの画像の選択を可能にさせる工程（１１０８）と、
ワークステーションに第１の画像ビュー及び第２の画像ビューを表示する工程（１１１０）と、
移動式デバイスに第２の画像ビューを表示する工程（１１１２）と、
ワークステーションの位置の第２の画像ビューが第１の観察用パラメータを備えること並びに移動式デバイスの位置の第２の画像ビューが第１の観察用パラメータと異なる第２の観察用パラメータを備えることを可能とさせる工程（１１１４；１１１６）と、
ワークステーションのところにいる第１のユーザ及び移動式デバイスのところにいる第２のユーザに対して第２の画像ビューへのコンテンツの追加を可能とさせる工程（１１１８；１１２０）と、
を含む共有方法。
【請求項３】
ワークステーションのところにいる第１のユーザに対して第２の画像ビューからのコンテンツの第１の画像ビューへの組み入れを可能とさせる工程（１１２２；１１２４）をさらに含む請求項２に記載の方法。
【請求項４】
ワークステーションと移動式デバイスのところにいるユーザ間の対話を容易にする工程をさらに含む請求項２に記載の方法。
【請求項５】
第２の画像ビューにコンテンツを追加する前記工程は、第２の画像ビューに対する計測値の生成、異常構造のハイライト及びテキストコメントの追加のために形状を描きかつアノテーション付与する工程（１１１８；１１２０）を含む、請求項２に記載の方法。
【請求項６】
アクセスデバイス（１０２；２０２；３０２；８０２）及び移動式デバイス（１０４；２０４；３０４；８０４）を備えた医用コンファレンシングシステムであって、該移動式デバイスは、
アクセスデバイスから受け取った共有画像を含むデータを保存するための第１のデータ記憶（２２６）と、
ユーザが観察、操作、アノテーション付与及び計測するために共有画像を表示するための第１のユーザインタフェース（２２４）であって、該操作によって移動式デバイスにおいてアクセスデバイスの位置と異なる観察用パラメータでの共有画像の表示が可能となる第１のユーザインタフェース（２２４）と、
第１のユーザインタフェースを介した入力の受け取り並びに共有画像を含むコンテンツの第１のユーザインタフェースへの提供をさせるための第１のプロセッサ（２３０）であって、アクセスデバイスを介した入力の受け取り及び第１のユーザインタフェースに対するコンテンツの提供をしており、第１のユーザインタフェースを介して受け取った入力をアクセスデバイスに伝達している第１のプロセッサ（２３０）と、
を備えている、医用コンファレンシングシステム。
【請求項７】
前記アクセスデバイスは、
移動式デバイスとのコンファレンスを開始させるための開始器（２０８）と、
移動式デバイスの位置に表示させる共有画像とアクセスデバイスによりその制御が保持されている非共有画像とを含むデータを保存するための第２のデータ記憶（２１４）と、
ユーザの観察及び操作のために共有画像及び非共有画像を表示するための第２のユーザインタフェース（２１２）と、
第２のユーザインタフェースを介した入力の受け取り並びに共有画像及び非共有画像を含むコンテンツの第２のユーザインタフェースへの提供をさせるための第２のプロセッサ（２１８）であって、移動式デバイスを介して入力を受け取りかつ第２のユーザインタフェースにコンテンツを提供しており、第２のユーザインタフェースを介して受け取った入力を移動式デバイスに伝達している第２のプロセッサ（２１８）と、
を備えている、請求項６に記載の医用コンファレンシングシステム。
【請求項８】
前記第１及び第２のユーザインタフェース（２２０；２２４）並びに前記第１及び第２のプロセッサ（２１８；２３０）は、共有画像に対するコンテンツの追加を可能にし、かつアクセスデバイスと移動式デバイスの両方においてそれぞれの第１及び第２のユーザインタフェースを介したコンテンツの動的表示を可能にしている、請求項７に記載の医用コンファレンシングシステム。
【請求項９】
前記ユーザインタフェースがタッチスクリーン（２１２；２２４）を含む、請求項７に記載の医用コンファレンシングシステム。
【請求項１０】
前記アクセスデバイスがワークステーション（３０２）を含む、請求項７に記載の医用コンファレンシングシステム。
【発明の詳細な説明】
【技術分野】
【０００１】
本開示は全般的にはヘルスケア情報システムに関し、またさらに詳細には医用コンファレンシングシステム及び方法に関する。
【背景技術】
【０００２】
病院やクリニックなどのヘルスケア環境は、病院情報システム（ＨＩＳ）、放射線情報システム（ＲＩＳ）、臨床情報システム（ＣＩＳ）、心臓血管情報システム（ＣＶＩＳ）などの情報システムと、画像蓄積伝送システム（ＰＡＣＳ）、ライブラリ情報システム（ＬＩＳ）、例えば加入する開業医及び／または患者に対する情報ポータルへのアクセスを提供するヘルスケア情報交換（ＨＩＥ）、電子カルテ（ＥＭＲ）などの記憶システムと、を含む。保存される情報には例えば、患者診療履歴、撮像データ、撮像レポート、定量的や定性的な撮像結果、検査結果、診断情報、管理情報、及び／またはスケジュール情報を含むことがある。この情報は、集中保存しておくことや、複数の箇所に分割されることもある。ヘルスケア提供医は、ヘルスケアワークフローの様々な点において患者情報やその他の情報へのアクセスを希望することがある。例えば手術中及び／または手術後に医療従事者は、医用情報システム内に保存された患者の解剖構造に関する画像などの患者情報にアクセスすることがある。放射線医及び／またはその他の臨床医は、例えば保存された画像及び／またはその他の情報を吟味することがある。幾つかの例では放射線医は、ある画像または複数の画像に関するセカンドオピニオンを得るために同僚や別の構成員と協働することがある。
【先行技術文献】
【特許文献】
【０００３】
【特許文献１】米国特許第７３２８２５３号
【発明の概要】
【発明が解決しようとする課題】
【０００４】
従来ではこうした協働は、同僚が同じデバイス上の画像及び物理的にハイライトした関心対象項目を見て観察されたものを検討しながら行われていた。今日のバーチャルで分散型のヘルスケア環境では、同僚が同じ箇所に居る可能性が低いため同じデバイスでの協働は可能でないことがあり、患者看護に対して同等の価値を提供できる代替的な方法が必要である。
【課題を解決するための手段】
【０００５】
第１のアクセスデバイスと第２のアクセスデバイスの間で医用画像及び情報の共有を含むコンファレンシングの例示の方法は、第１のアクセスデバイスに関連付けされた第１のユーザに対して第２のアクセスデバイスに関連付けされた第２のユーザとのコンファレンスの要求を可能にさせる工程を含む。本方法は、第２のユーザによるコンファレンスの受け容れを判定する工程と、第１のアクセスデバイスと第２のアクセスデバイスの間でコンファレンスの開始を可能にさせる工程と、を含む。本方法は、第１のユーザに対して第２のアクセスデバイスに表示させようとする少なくとも１つの画像の選択を可能にさせる工程と、第１のアクセスデバイスに第１の画像ビュー及び第２の画像ビューを表示する工程と、を含む。本方法は、第２のアクセスデバイスに第２の画像ビューを表示する工程と、第１のアクセスデバイスに対して第１の画像ビューに対する制御の保持を可能にさせる工程と、を含む。本方法は、第１のアクセスデバイスのところにいる第１のユーザ及び第２のアクセスデバイスのところにいる第２のユーザに対して第２の画像ビューへの実質的に同時のコンテンツ追加を可能にさせる工程を含む。
【０００６】
ワークステーションと移動式デバイスの間でディジタル放射線学画像を共有する例示の方法は、ワークステーションに関連付けされた第１のユーザに対して移動式デバイスに関連付けされた第２のユーザとのコンファレンスの要求を可能にさせる工程を含む。本方法は、第２のユーザによるコンファレンスの受け容れを判定する工程と、ワークステーションと移動式デバイスの間のコンファレンスの開始を可能とさせる工程と、を含む。本方法は、第１のユーザに対して第２のユーザと共有しようとする少なくとも１つの画像の選択を可能とさせる工程と、ワークステーションに第１の画像ビュー及び第２の画像ビューを表示する工程と、を含む。本方法は、移動式デバイスに第２の画像ビューを表示する工程を含む。本方法は、ワークステーションの位置の第２の画像ビューが第１の観察用パラメータを備えかつ移動式デバイスの位置の第２の画像ビューが第１の観察用パラメータと異なる第２の観察用パラメータを備えることを可能とさせる工程を含む。本方法は、ワークステーションのところにいる第１のユーザ及び移動式デバイスのところにいる第２のユーザに対して第２の画像ビューへのコンテンツの追加を可能とさせる工程を含む。
【０００７】
例示の医用コンファレンシングシステムはアクセスデバイス及び移動式デバイスを含む。この移動式デバイスは、アクセスデバイスから受け取った共有画像を含むデータを保存するために第１のデータ記憶を含む。さらにこの移動式デバイスは、ユーザが観察、操作、アノテーション付与及び計測するために共有画像を表示するための第１のユーザインタフェースを含む。この操作は、移動式デバイスにおいてアクセスデバイスの位置と異なる観察用パラメータでの共有画像の表示を可能としている。さらにこの移動式デバイスは、第１のユーザインタフェースを介して入力を受け取りかつ第１のユーザインタフェースに対して共有画像を含むコンテンツを提供させるための第１のプロセッサを含んでおり、該プロセッサはアクセスデバイスを介した入力の受け取り及び第１のユーザインタフェースに対するコンテンツの提供をしており、該プロセッサは第１のユーザインタフェースを介して受け取った入力をアクセスデバイスに伝達している。
【図面の簡単な説明】
【０００８】
【図１】例示のコンファレンシングシステムを表した図である。
【図２】図１の例示のコンファレンシングシステムを実現するために使用可能な例示のアクセスデバイスを表した図である。
【図３】複数の例示のアクセスデバイスを用いた例示のコンファレンシングワークフローを表した図である。
【図４】複数の例示のアクセスデバイスを用いた例示のコンファレンシングワークフローを表した図である。
【図５】複数の例示のアクセスデバイスを用いた例示のコンファレンシングワークフローを表した図である。
【図６】複数の例示のアクセスデバイスを用いた例示のコンファレンシングワークフローを表した図である。
【図７】複数の例示のアクセスデバイスを用いた例示のコンファレンシングワークフローを表した図である。
【図８】複数の例示のアクセスデバイスを用いた別のコンファレンシングワークフローを表した図である。
【図９】複数の例示のアクセスデバイスを用いた別のコンファレンシングワークフローを表した図である。
【図１０】複数の例示のアクセスデバイスを用いた別のコンファレンシングワークフローを表した図である。
【図１１】本明細書に記載した例に関する例示の構成要素を実現するように実行し得る例示の機械読み取り可能命令を表した流れ図である。
【図１２】本明細書に記載した例示の方法及びシステムのいずれかまたは全部を実現するように使用及び／またはプログラムし得る例示のプロセッサプラットフォームの概要図である。
【発明を実施するための形態】
【０００９】
上述の要約、並びに本明細書に記載した方法、装置、システム及び／または製造物のある種の実現形態に関する以下の詳細な説明は、添付の図面と関連させて読むことによってより理解が深まるであろう。しかし本明細書に記載した方法、装置、システム及び／または製造物は添付の図面に示した配置や手段に限定するものではないことを理解すべきである。
【００１０】
以下ではハードウェア上で実行されるファームウェア及び／またはソフトウェア（ただし、これらに限らない）などの構成要素を含む例示の方法、装置、システム及び製造物を開示しているが、こうした方法、装置、システム及び／または製造物は単に例示であり、限定と見なすべきでないことに留意すべきである。例えば、これらのファームウェア、ハードウェア及び／またはソフトウェア構成要素のいずれかまたは全部は、ハードウェア単独で、ソフトウェア単独で、ファームウェア単独で、あるいはハードウェア、ソフトウェア及び／またはファームウェアの任意の組み合わせによって具現化することも可能であることが企図される。したがって、以下において例示の方法、装置、システム及び／または製造物について記載しているが、提供した例がこうした方法、装置、システム及び／または製造物を実現するための唯一の方法（複数のこともある）ではない。
【００１１】
添付の特許請求の範囲のいずれかの請求項が純粋にソフトウェア及び／またはファームウェアの実現形態を包含するように読める場合、少なくとも１つの例の要素のうちの少なくとも１つがこれによって、ソフトウェア及び／またはファームウェアを格納しているメモリ、ＤＶＤ、ＣＤ、その他などの有形媒体を含むように明示的に規定されるものとする。
【００１２】
本明細書に記載した例は、ワークフローの間に知見を迅速に確認すること及び諮問（ｃｏｎｓｕｌｔａｔｉｏｎ）を迅速に取得することを可能にさせた、したがってワークフロー効率の向上を可能にさせたコンファレンシングシステム及び方法に関する。本明細書に記載した例によればユーザは、それぞれのアクセスデバイスにおいて画像を操作する能力を維持しながら画像に対する並列読み取りを実行することが可能となる。本明細書に記載した例によればユーザは、アクセスデバイスのツールを利用し、他の者と動的に共有が可能な画像に対して高度な処理、操作、定性的及び／または定量的アノテーション（複数のこともある）、ディクテーション、編集及び／または計測、その他を実行することが可能となる。本明細書に記載した例によれば、コンファレンシングセッションの間に、ワークステーションの位置の画像に移動式デバイスの位置の画像と異なる観察用パラメータを有させることが可能となる。本明細書に記載した例によれば、コンファレンシングセッションの間に、ワークステーションにいる第１のユーザ及び移動式デバイスにいる第２のユーザによって画像に対してコンテンツを実質的に同時に追加することが可能となる。
【００１３】
図１は、第１のアクセスデバイス１０２、第２のアクセスデバイス１０４、第３のアクセスデバイス１０６、外部データソース１０８及び外部システム１１０を含む例示の医用コンファレンシングまたは画像共有システム１００を表している。幾つかの例では、データソース１０８及び／または外部システム１１０を単一のシステムで実現させることが可能である。幾つかの例では、データソース１０８及び／または外部システム１１０はアクセスデバイス１０２〜１０６のうちの１つまたは幾つかとネットワーク１１２を介して通信することが可能である。幾つかの例では、アクセスデバイス１０２〜１０６のうちの１つまたは幾つかは、データソース１０８及び／または外部システム１１０とネットワーク１１２を介して通信することが可能である。幾つかの例では、アクセスデバイス１０２〜１０６は、ネットワーク１１２を介して互いに通信することが可能である。ネットワーク１１２は例えば、インターネット、イントラネット、プライベートネットワーク、有線式やワイヤレス式のローカルエリアネットワーク、有線式またはワイヤレス式のワイドエリアネットワーク、セルラーネットワーク及び／または適当な別の任意のネットワークによって実現されることある。
【００１４】
データソース１０８は、画像読影及び／またはその他の用途のために画像及び／またはその他のデータをアクセスデバイス１０２〜１０６に提供することが可能である。幾つかの例ではデータソース１０８は、セッションまたはコンファレンスに関連付けされた情報及び／またはその他の情報をアクセスデバイス１０２〜１０６から受け取ることが可能である。幾つかの例では外部システム１１０は、セッションまたはコンファレンスに関連付けされた情報及び／またはその他の情報をアクセスデバイス１０２〜１０６から受け取ることが可能である。幾つかの例では外部システム１１０はさらに、アクセスデバイス１０２〜１０６に画像及び／またはその他のデータを提供することが可能である。データソース１０８及び／または外部システム１１０は、ＰＡＣＳ、ＲＩＳ、ＨＩＳ、ＣＶＩＳ、ＥＭＲ、アーカイブ、データ庫（ｗａｒｅｈｏｕｓｅ）、撮像モダリティ（例えば、Ｘ線、ＣＴ、ＭＲ、超音波、核医学撮像、その他）などのシステムを用いて実現することが可能である。
【００１５】
アクセスデバイス１０２〜１０６は例えば、ワークステーション（ラップトップ、デスクトップ、タブレットコンピュータ、その他）または移動式デバイスを用いて実現することが可能である。幾つかの移動式デバイスは例えば、スマートフォン（例えば、ＢｌａｃｋＢｅｒｒｙ（ＴＭ）、ｉＰｈｏｎｅ（ＴＭ）、その他）、移動式インターネットデバイス（ＭＩＤ）、ＰＤＡ（ｐｅｒｓｏｎａｌ  ｄｉｇｉｔａｌ  ａｓｓｉｓｔａｎｔ）、セルラー電話、ハンドヘルドコンピュータ、タブレットコンピュータ（ｉＰａｄ（ＴＭ））、その他を含む。
【００１６】
実際に放射線医などの担当医は、ある画像に関して同僚（例えば、専門家または別の放射線医）との協働を希望することがある。こうした同僚は要求した放射線医と同じアクセスデバイスの近傍に居ないことがある。こうした場合には本明細書に記載した例を用いることによって、第１のアクセスデバイスに関連付けされた第１のユーザ１０２が例えばある画像に関して第２のアクセスデバイスに関連付けされた第２のユーザ１０４と協働することがある。周知の幾つかの方式と異なり本明細書に記載した例によれば、セッション要求を出すユーザは、少なくとも１つの画像ビューに対する制御及びこれに対する操作を維持する一方で少なくとも読影するユーザが操作可能な第２の画像ビューを提供することが可能となる。幾つかの例では本明細書に記載した例によってユーザは、互いのビューに影響を及ぼすことなく画像の並列読み込みを実行することが可能となる。
【００１７】
第１のユーザ（例えば、要求を出した放射線医）と第２のユーザ（例えば、読影をする放射線医）との間で協働セッションを開始するために、第１のアクセスデバイスに関連付けされた第１のユーザ１０２によって、第２のアクセスデバイス１０４に関連付けされた第２のユーザとのセッションまたはコンファレンスが要求されることがある。第１のアクセスデバイス１０２をＰＡＣＳワークステーションすることがありかつ第２のアクセスデバイス１０４を移動式デバイスとすることがあるが、これらの両アクセスデバイスを共に、例えばＰＡＣＳワークステーションとすることや、別法として移動式デバイスとすることがあり得る。通知を受けると第２のユーザは次いで、この要求を受け容れることも辞退することもある。幾つかの例では第２のユーザは、デバイス認証のセキュリティ要件を満足することがある。幾つかの例では、セキュリティ標準、バーチャルプライベートネットワークアクセス、暗号化、その他を用いて、アクセスデバイス１０２と１０４の間の安全な接続を維持することが可能である。
【００１８】
第２のユーザが要求を受け容れた場合、第１のユーザは次いで第２のユーザと共有しようとする画像を選択することがある。第１のユーザはさらに、第２のユーザに対して最初に表示させる画像ビューを選択することがある。第１のユーザが元の画像ビュー（例えば、非共有画像）を保持する能力を保全するために、第２のユーザが少なくとも何らかの制御を行使し得るような共有画像ビューをデータソース１０８及び／または外部システム１１０によって生成することがある。この共有画像は、第２のアクセスデバイス１０４のユーザインタフェース１１４を用いて第２のユーザに対して表示される。第１のユーザは、第１のアクセスデバイス１０２のユーザインタフェース１１６上で共有画像ビューと元の画像ビューの両方を観察することがある。
【００１９】
第２のユーザは、第１のアクセスデバイス１０２にある共有画像ビューに影響を及ぼさないで、第２のアクセスデバイス１０４に表示させた共有画像ビューを操作すること（例えば、異なる観察用パラメータで画像を観察すること）がある。例えば、第２のアクセスデバイス１０４の共有画像ビューは第１のアクセスデバイス１０２における共有画像ビューとズーム率が異なることがある。第１のユーザは、第２のアクセスデバイス１０４にある共有画像ビューに影響を及ぼさないで、第１のアクセスデバイス１０２に表示させた共有画像ビューを操作することがある。幾つかの例では第１のユーザは、第１のアクセスデバイス１０２を用いて第２のアクセスデバイス１０４に表示された共有画像ビューを操作することが可能である。
【００２０】
第１のユーザは、コンテンツを編集及び／または追加すること（例えば、計測値生成のために形状やオブジェクトを描きかつアノテーション付与すること、異常構造をハイライトすること、かつ／またはテキストコメントを追加すること）、及び／または第１のアクセスデバイス１０２において共有画像ビューに関する知見を特定すること、が可能である。これらの編集は、第２のアクセスデバイス１０４にある共有画像ビューに伝達されることがあり、またこれにより第２のアクセスデバイス１０４にある共有画像ビューを動的に更新することが可能である。第２のユーザは、コンテンツを編集及び／または追加すること（例えば、計測値生成のために形状やオブジェクトを描きかつアノテーション付与すること、異常構造をハイライトすること、かつ／またはテキストコメントを追加すること）、及び／または第２のアクセスデバイス１０４において共有画像ビューに関する知見を特定すること、が可能である。これらの編集は第１のアクセスデバイス１０２にある共有画像ビューに伝達されることがあり、またこれにより第１のアクセスデバイス１０２にある共有画像ビューを動的に更新することが可能である。したがって例えば、第１のアクセスデバイスのところにいる第１のユーザ１０２による共有画像ビューに対するコンテンツの追加が可能であり、かつ実質的に同じ時刻に（例えば、実質的に同時に）、第２のアクセスデバイスのところにいる第２のユーザ１０４による共有画像ビューに対するコンテンツの追加が可能である。第１のアクセスデバイス１０２において追加されたコンテンツの第２のアクセスデバイス１０４上への表示、並びに第２のアクセスデバイス１０４において追加されたコンテンツの第１のアクセスデバイス１０２上への表示は、例えばアクセスデバイス１０２と１０４の間の接続に関連付けされた伝送時間によって限定されることがある。例えば第１のアクセスデバイスのところにいる第１のユーザ１０２は、第２のアクセスデバイス１０４のところにいる第２のユーザ対しても共有画像ビューにコンテンツを追加する能力を保持することを可能とさせる一方で、共有画像ビューに対してコンテンツを追加することが可能である。幾つかの例では第１のユーザ及び／または第２のユーザは、第１のアクセスデバイス１０２と第２のアクセスデバイス１０４の両方に共有画像ビューが同じように表示されるようなモードを始動させることがある。
【００２１】
幾つかの例では第１のユーザは、第２のユーザと音声またはテキストのメッセージ伝達（例えば、電話、ＳＭＳ、電子メールサービス、その他）を介して通信することが可能である。幾つかの例では第２のユーザは、第１のユーザと音声またはテキストのメッセージ伝達（例えば、電話、ＳＭＳ、電子メールサービス、その他）を介して通信することが可能である。幾つかの例では第１のユーザと第２のユーザの間の通信は、レポート（複数のこともある）の作成及び／またはレポート（複数のこともある）内への自動組み込みのために使用されることがある。例えば、コンファレンスに関連付けされた結果が医学レポート内に自動的に組み込まれることがある。幾つかの例では、共有画像及び／または特定した知見に対する編集が、レポート（複数のこともある）の作成及び／またはレポート（複数のこともある）内への組み込みのために使用されることがある。幾つかの例では、共有画像及び／または特定した知見に対する編集が第１のユーザによって元の画像ビュー内に組み込まれることがある。上の例では第１のユーザが第２のユーザと単一の画像を共有するように記載しているが、これ代えて任意の数（例えば、１枚、２枚、３枚、その他）の画像が共有されることがある。上の例では第２のユーザと画像を共有するように記載しているが、これ代えて別の任意のまたは追加的な情報を共有することがある。例えば追加としてまたは別法として、レポートや結果（例えば、ラボ、定量的及び／または定性的解析の事後または事前事後読み値）が共有されることがある。
【００２２】
図２は、例示の医用コンファレンシングまたは画像共有システム２００の例示の第１のアクセスデバイス２０２及び例示の第２のアクセスデバイス２０４のブロック図である。第１のアクセスデバイス２０２は図１の第１のアクセスデバイス１０２の実現のために用いられることがあり、また第２のアクセスデバイス２０４は図１の第２のアクセスデバイス１０４の実現のために用いられることがある。
【００２３】
第１のアクセスデバイス２０２は、開始器２０８、表示モジュール２１０、インタフェース２１２、データソース２１４、ツール２１６及びプロセッサ２１８を含むことがある。第２のアクセスデバイス２０４は、開始器２２０、表示モジュール２２２、インタフェース２２４、データソース２２６、ツール２２８及びプロセッサ２３０を含むことがある。図１のアクセスデバイス１０２及び１０４を実現する例示の方式を図２に示しているが、図２に示した要素、処理及び／またはデバイスのうちの１つまたは幾つかを組み合わせる、分割する、再配列する、省略する、排除する及び／または別の方法により実現することがある。幾つかの例ではプロセッサ２１８は、開始器２０８、表示モジュール２１０、インタフェース２１２、データソース２１４及び／またはツール２１６と一体化させることがある。追加としてまたは別法として、幾つかの例ではそのプロセッサ２３０を、開始器２２０、表示モジュール２２２、インタフェース２２４、データソース２２６及び／またはツール２２８と一体化させることがある。開始器２０８及び／または２２０、表示モジュール２１０及び／または２２２、インタフェース２１２及び／または２２４、データソース２１４及び／または２２６、ツール２１６及び／または２２８、かつ／またはプロセッサ２１８及び／または２３０（またより一般的には、例示の医用コンファレンシングシステム２００）は、ハードウェア、ソフトウェア、ファームウェア及び／またはハードウェア、ソフトウェア及び／またはファームウェアの組み合わせによって実現させることがある。したがって開始器２０８及び／または２２０、表示モジュール２１０及び／または２２２、インタフェース２１２及び／または２２４、データソース２１４及び／または２２６、ツール２１６及び／または２２８、かつ／またはプロセッサ２１８及び／または２３０（またより一般的には、例示の医用コンファレンシングシステム２００）は、１つまたは複数の回路、プログラム可能プロセッサ（複数のこともある）、特定用途向け集積回路（ＡＳＩＣ）（複数のこともある）、プログラム可能論理デバイス（ＰＬＤ）（複数のこともある）及び／または現場プログラム可能論理デバイス（ＦＰＬＤ）（複数のこともある）、その他によって実現させることが可能である。添付の特許請求の範囲のいずれかの請求項が純粋にソフトウェア及び／またはファームウェアの実現形態を包含するように読める場合、開始器２０８及び／または２２０、表示モジュール２１０及び／または２２２、インタフェース２１２及び／または２２４、データソース２１４及び／または２２６、ツール２１６及び／または２２８、かつ／またはプロセッサ２１８及び／または２３０（またより一般的には、例示の医用コンファレンシングシステム２００）のうちの少なくとも１つがこれによって、ソフトウェア及び／またはファームウェアを保存しているメモリ、ＤＶＤ、ＣＤ、その他などの有形媒体を含むように明示的に規定されるものとする。またさらには、図２の例示の医用コンファレンシングシステム２００は、図２に示したものに加えてあるいはこれに代えて１つまたは複数の要素、処理及び／またはデバイスを含むことがあり、かつ／または図示した要素、処理及びデバイスのいずれかまたは全部のうちからその複数を含むことがある。
【００２４】
アクセスデバイス２０２及び２０４は、それぞれのアクセスデバイス２０２または２０４、データソース１０８（図１）及び／または外部システム１１０（図１）におけるデータの取り出し、機能の実行及びデータの保存を行うプロセッサ２１８及び２３０を含む。プロセッサ２１８及び２３０は、アクセスデバイス２０２及び２０４の制御、情報の編集その他をさせるための情報及び機能をユーザ入力に提供するように、それぞれの表示モジュール２１０及び２２２並びにインタフェース２１２及び２２４を駆動させている。幾つかの例ではそのインタフェース２１２及び／または２２４は、グラフィカルユーザインタフェース（ＧＵＩ）として構成されることがある。このＧＵＩは、それぞれのアクセスデバイス２０２または２０４と一体化させかつ／またはこれに対して取り付けられたタッチパッド／スクリーンとすることがある。幾つかの例ではそのインタフェース２１２及び／または２２４を、キーボード、マウス、トラックボール、マイクロフォン、その他とすることがある。幾つかの例ではそのインタフェース２１２及び／または２２４は、それぞれの表示モジュール２１０及び２２２に表示させた画像ビューのユーザによる変更を可能とするために加速度計及び／または全地球測位センサ及び／またはその他の位置／運動インジケータを含むことがある。
【００２５】
アクセスデバイス２０２及び２０４は、データソース２１４及び２２６やツール２１６及び２２８を含んだ１つまたは複数の内部メモリ及び／またはデータ記憶部を含む。データ記憶装置は、アクセスデバイス２０２及び２０４と連絡している多種多様な任意の内部及び／または外部メモリ、ディスク、遠隔記憶装置を含むことが可能である。
【００２６】
プロセッサ２１８及び／または２３０は、例えば第１のアクセスデバイス２０２や第２のアクセスデバイス２０４及び／またはデータソース１０８（図１）及び／または外部システム１１０（図１）に出入りさせたデータの問い合わせ、取り出し及び／または送出のための通信インタフェース構成要素を含むこと及び／またはこれらと通信することが可能である。インタフェース２２４を介して受け取ったユーザ入力並びにデータソース２２６及びツール２２８からの情報及び／または機能を用いてプロセッサ２３０は、例えば第２のアクセスデバイス２０４にある画像の共有ビューに対するアノテーションを第１のアクセスデバイス２０２に伝達することが可能である。
【００２７】
動作時において第１のアクセスデバイスに関連付けされた第１のユーザ２０２は、第２のアクセスデバイス２０４に関連付けされた第２のユーザとのセッションまたはコンファレンスを開始器２０８を用いて要求することがある。幾つかの例では第２のユーザは、第１のユーザが知っているあるいは協働するコンファレンシンググループの一部である及び／またはあるヘルスケアグループに関連付けされた他の複数のユーザ（例えば、同僚、専門家、他の放射線医、その他）から選択されることがある。この要求は、例えばその要求を表示モジュール２２２上に表示し得る第２のアクセスデバイス２０４に対してプロセッサ２１８を介して伝達されることがある。次いで第２のユーザは、インタフェース２２４を用いてこの要求を受け容れることや、辞退することがある。この受け容れまたは拒絶は例えば、プロセッサ２３０を用いて第２のアクセスデバイス２０４から第１のアクセスデバイス２０２に伝達されることがある。
【００２８】
第２のユーザが要求を受け容れた場合、第１のユーザはインタフェース２１２を用いて第２のユーザと共有しようとする画像（例えば、Ｘ線、ディジタル放射線画像、ＣＴスキャン、ＭＲＩ、超音波、その他）を選択することがある。この画像（複数のこともある）はデータソース２１４及び／または１０８内に保存されることがある。第１のユーザはさらに、第２のユーザに対して最初に表示させる画像ビューを選択することがある。別法として第２のアクセスデバイス２０４は、第２のユーザが好む事前設定の観察選好を含むことがある。別の例では第１のユーザは、インタフェース２１２を用いて第２のユーザと共有しようとする複数の画像を選択することがある。こうした例では第１のユーザは、第２のユーザに対して最初に表示させる画像及び画像ビューを選択することがある。
【００２９】
次いで、共有画像ビュー（例えば、任意選択で関連するデータを含んだ画像（複数のこともある））がプロセッサ２１８を介して第２のアクセスデバイス２０４に伝達されると共に、表示モジュール２２２を用いてこれが表示される。上で検討したように第１のユーザは、表示モジュール２１０上で共有画像ビューと元の画像ビューの両方を観察することがある。
【００３０】
第１のアクセスデバイス２０２上のデータソース２１４及びツール２１６によって、第１のアクセスデバイス２０２を介した共有ビュー及び／または元の画像ビューに対するユーザ操作（例えば、パン、ズーム、高度な処理、輝度、コントラスト、その他）、定性的及び／または定量的アノテーション（複数のこともある）、ディクテーション、編集及び／または計測が容易になる。第１のユーザによるこの操作、アノテーション、ディクテーション、編集及び／または計測（またより一般的には、共有画像ビューに対して追加されるコンテンツ）は、第２のユーザに伝達されて表示モジュール２２２を用いてリアルタイムであるいは実質的にリアルタイムで表示されることがある。しかし上で検討したように幾つかの例では、第１のアクセスデバイス２０２における共有画像ビューに対する操作が第２のアクセスデバイス２０４における共有画像ビューに対する操作と異なることがある。複数の画像が共有されるような例では、第１のアクセスデバイス２０２にある画像及び／またはその画像ビューが第２のアクセスデバイス２０４にある画像及び／またはその画像ビューと異なることがある。例えば第１のユーザは、インタフェース２１２を用いて複数の共有画像の中から第１のアクセスデバイス２０２で観察しようとする第１の画像を選択することがあり、また第２のユーザは、インタフェース２２４を用いて複数の共有画像の中から第２のアクセスデバイス２０４で観察しようとする第２の画像を選択することがある。
【００３１】
第２のアクセスデバイス２０４のデータソース２２６及びツール２２８によって、第２のアクセスデバイス２０４を介した共有画像ビューに対するユーザ操作（例えば、パン、ズーム、高度な処理、輝度、コントラスト、その他）、定性的及び／または定量的アノテーション（複数のこともある）、編集及び／または計測が容易になる。例えば第２のアクセスデバイス２０４がグラフィカルユーザインタフェースを有する移動式デバイスであれば、第２のユーザはユーザインタフェース画面にタッチすることによって関心項目及び／または関心領域（例えば、骨折）にアノテーション付与することが可能である。第２のユーザは、例えば距離計測を要求するために第２のアクセスデバイス２０４のユーザインタフェース画面上でマルチタッチ動作を実行することが可能である。第２のユーザは、例えば読影している画像に関するコメントを提供するためにユーザインタフェース画面のタッチをオーディオ機能の起動と連携させることが可能である。
【００３２】
第２のユーザによるこの操作、アノテーション、編集及び／または計測（またより一般的には、共有画像ビューに追加されるコンテンツ）は、第１のユーザに伝達され表示モジュール２１０を用いてリアルタイムでまたは実質的にリアルタイムで表示されることがある。追加としてまたは別法として第１のユーザは、第２のユーザから受け取ったアノテーション、編集及び／または計測を、例えばインタフェース２１２を用いてこの情報を元の画像ビュー内にドラッグすることによって元の画像ビューに組み込むことがある。追加としてまたは別法として、これらユーザ間のコンファレンスに関連付けされた情報は、例えば第１のアクセスデバイス２０２に保存すること、及び／またはさらに使用するためかつ／または後で取り出すために外部システムに保存すること、が可能である。第１のアクセスデバイス２０２及び／または第２のアクセスデバイス２０４を介して受け取った入力（例えば、ユーザ入力）並びにデータソース２１４及び／または２２６やツール２１６及び／または２２８からの情報及び機能を用いることによって、プロセッサ２１８は１つまたは複数のレポートを作成することが可能である。
【００３３】
図３〜７は、ワークステーション（例えば、第１のアクセスデバイス）３０２及び移動式デバイス（例えば、第２のアクセスデバイス）３０４を用いた例示のコンファレンシングまたは画像共有応用を表している。図３を参照すると３０６において、第１のユーザが移動式デバイス３０４に関連付けされた第２のユーザとの接続を要求（例えば、コンファレンシング及び／または協働セッションを要求）することがある。第２のユーザはユーザのディレクトリから選択されることがある。このユーザディレクトリは、それぞれのユーザに関連付けされたデータ（例えば、コンタクト情報、履歴書（ＣＶ）、その他）を含むことがある。このユーザディレクトリは、例えばそれぞれのユーザが関連するコンファレンシングシステム（例えば、医用コンファレンシングシステム１００及び／または２００）にログインしているか否かに応じて変更されることがある。
【００３４】
要求が発せられると３０８において、移動式デバイス３０４はワークステーション３０２から到来する要求を受け取る。３１０では、第２のユーザが例えば移動式デバイス３０４のグラフィカルユーザインタフェース３１２に対するタッチによってその要求に対する受け容れまたは辞退を選択することがある。第２のユーザによる要求の受け容れまたは辞退の判断はワークステーション３０２に伝達されることがある。第２のユーザが要求を受け容れた場合、例えばワークステーション３０２と移動式デバイス３０４の間に接続が確立されることがあり、かつ／またはセッションが開始されることがある。
【００３５】
図４を参照すると、第２のユーザが要求を受け容れてセッションが開始された場合に４０２において、第１のユーザは第２のユーザと共有するための画像を選択する。４０２では第１のユーザによって元の画像ビュー（例えば、非共有画像）に対する制御が保持されており、また４０４では共有画像ビュー（例えば、共有ビュー）が表示されることがある。第１のユーザは、移動式デバイス３０４に初めに表示させる共有画像ビューを選択することがある。共有画像ビューが選択された後、４０６においてこの共有画像ビューは移動式デバイス３０４上に表示される。
【００３６】
図５を参照すると、ワークステーション３０２と移動式デバイス３０４が共有画像の描出パラメータを共有することがあるが、ワークステーション３０２と移動式デバイス３０４は観察エリア内で共有画像ビューを異なる位置決めとすることがあり、ズームを異ならせることがあり、かつ／またはワークステーション３０２と移動式デバイス３０４が個々にアノテーションを規定することがある。例えば５０２において第２のユーザは、移動式デバイス３０４における共有画像ビューをワークステーション３０２における共有画像ビューと異ならせるように移動式デバイス３０４のグラフィカルユーザインタフェース３１２に対するタッチによって関心領域をズーム及び／またはパンすることがある。
【００３７】
５０４では第１のユーザが共有画像ビュー上にグラフィック式オブジェクトを入力することがあり、次いで５０６においてこれが移動式デバイス３０４に伝達される。５０８では第１のユーザが共有画像ビュー上に計測値を入力することがあり、次いで５１０においてこれが移動式デバイス３０４の共有画像ビュー上に伝達される。より一般的には、パラメータ（例えば、グラフィック式オブジェクト、計測値、その他）が移動式デバイス３０４に転送されると共に、このパラメータは例えば移動式デバイス３０４において共有画像ビューに登録される。追加としてまたは別法として、５０６において第２のユーザが共有画像ビュー上にグラフィック式オブジェクトを入力することがあり、次いで５０４においてこれがワークステーション３０２の共有画像ビュー上に伝達される。５１０では第２のユーザが計測値を入力することがあり、次いで５０８においてこれがワークステーション３０２の共有画像ビュー上に伝達される。
【００３８】
図６を参照すると、６０２において第２のユーザは、共有画像ビュー上にコンテキスト（例えば、アノテーション）を入力することがあり、次いで６０４においてこれがワークステーション３０２の共有画像ビュー上に伝達される。６０６では第２のユーザがコメントを入力することがあり、次いで６０８においてこれがワークステーション３０２の共有画像ビュー上に伝達される。ワークステーション３０２にある共有画像ビューは第１の観察用パラメータによって観察されることがあり、また移動式デバイス３０４にある共有画像ビューは第１の観察用パラメータと異なる第２の観察用パラメータによって観察されることがある（ただし別法として、第１及び第２の観察用パラメータを同じまたは同様とすることがある）。
【００３９】
図７を参照すると、第１のユーザ及び／または第２のユーザによって、ワークステーション３０２及び／または移動式デバイス３０４を用いて７０２及び７０４にそれぞれ示したようにワークステーション３０２と移動式デバイス３０４の両者において共有画像ビューの観察用パラメータが同じであるようなモードが開始されることがある。
【００４０】
図８は、第１の移動式デバイス（例えば、ｉＰａｄ（ＴＭ）、第１のアクセスデバイス）８０２並びに第２の移動式デバイス（例えば、ｉＰｈｏｎｅ（ＴＭ）、第２のアクセスデバイス）８０４を用いた例示のコンファレンシングまたは画像共有応用を表している。８０６では、第１の移動式デバイス８０２に関連付けされた第１のユーザは、例えばセッションへの参加できるような医師の８０８の登録簿を開くためのコンサルト（ＣＯＮＳＵＬＴ）を選択することがある。ユーザは、第１の移動式デバイス８０２のグラフィカルユーザインタフェース８１０へのタッチによって登録簿を開くことがある。８０８において医師のうちの一人が登録簿から選択され、次いでこの選択された医師に対して要求が伝達される。
【００４１】
８１２では、第２の移動式デバイス８０４が第１の移動式デバイス８０２から到来する要求を受け取る。８１４では、第２の移動式デバイス８０４に関連付けされた第２のユーザ（例えば、選択された医師）は、例えば第２の移動式デバイス８０４のグラフィカルユーザインタフェース８１６に対するタッチによって要求に対する受け容れまたは辞退を選択することがある。第２のユーザによる要求の受け容れまたは辞退の判断が第１の移動式デバイス８０２に伝達されることがある。第２のユーザが要求を受け容れた場合は、例えば第１と第２の移動式デバイス８０２と８０４の間の接続が確立されることがあり、かつ／またはセッションが開始されることがある。
【００４２】
第２のユーザが要求を受け容れかつセッションが開始された場合、８１８において第１のユーザが選択した共有画像が第２の移動式デバイス８０４上に表示されることがある。８２０及び８２２では、第２のユーザが共有画像ビュー上にアノテーションをマーキングし、次いで８２４及び８２６のそれぞれにおいてこれが共有画像ビューに伝達される。第２のユーザは、第２の移動式デバイス８０４及び／または第１の移動式デバイス８０２における共有画像ビューの画像提示を変更することがある。８２８では第１のユーザがコメント（例えば、音声、テキストメッセージ、その他）を入力し、８３０においてこれが第２の移動式デバイス８０４に伝達されることがある。８３２では第２のユーザがコメント（例えば、音声、テキストメッセージ、その他）を入力することがあり、８３４においてこれが第１の移動式デバイス８０２に伝達されることがある。８３６では第１のユーザが例えば、セッションに関連付けされた情報（例えば、知見、会話、その他）をレポートに組み入れることがあり、かつ／またはセッションに関連付けされた情報に基づいてレポートが作成されることがある。
【００４３】
図９は、第１の移動式デバイス（例えば、ｉＰａｄ（ＴＭ）、第１のアクセスデバイス）９０２並びに第２の移動式デバイス（例えば、ｉＰｈｏｎｅ（ＴＭ）、第２のアクセスデバイス）９０４を用いた例示のコンファレンシングまたは画像共有応用を表している。９０６では、第１の移動式デバイス９０２に関連付けされた第１のユーザが登録簿から医師を選択することがある。選択されると、対応する医師に対して要求が伝達されることがあり、また当該医師がこの要求の受け容れまたは辞退について促されることがある。
【００４４】
選択を受けた医師が要求を受け容れてセッションが開始された場合、第１のユーザが選択した共有画像が９０８において第２の移動式デバイス９０４上に表示されることがある。９１０では第２のユーザ（例えば、選択を受けた医師）が共有画像ビューの観察用パラメータ（例えば、ズーム、パン、回転、その他）を変更することがあるが、しかし第２の移動式デバイス９０４での共有画像ビューの観察用パラメータに対する変更は第１の移動式デバイス９０２における共有画像ビューの観察用パラメータに影響しないことがある。
【００４５】
９１２では第２のユーザが共有画像ビュー上で計測を実行することがあり、次いで９１４においてこれが共有画像ビューに伝達される。９１６では第１のユーザがコメント（例えば、音声、テキストメッセージ、その他）を入力することがあり、９１８においてこれが第２の移動式デバイス９０４に伝達されることがある。９２０では第２のユーザがコメント（例えば、音声、テキストメッセージ、その他）を入力することがあり、９２２においてこれが第１の移動式デバイス９０２に伝達されることがある。９２４では第１のユーザが例えば、セッションに関連付けされた情報（例えば、知見、会話、その他）をレポートに組み入れることがあり、かつ／またはセッションに関連付けされた情報に基づいてレポートが作成されることがある。
【００４６】
図１０は、第１の移動式デバイス（例えば、ｉＰａｄ（ＴＭ）、第１のアクセスデバイス）１００２、第２の移動式デバイス（例えば、ｉＰｈｏｎｅ（ＴＭ）、第２のアクセスデバイス）１００４並びに第３の移動式デバイス（例えば、ｉＰｈｏｎｅ（ＴＭ）、第３のアクセスデバイス）１００６を用いた例示のコンファレンシングまたは画像共有応用を表している。１００８では、第１の移動式デバイス１００２に関連付けされた第１のユーザが登録簿から複数の医師を選択することがあり、また次いで１０１０及び１０１２において選択を受けた医師に要求が伝達されることがある。第２の移動式デバイス１００４に関連付けされた第２のユーザ（例えば、選択を受けた医師）と第３の移動式デバイス１００６に関連付けされた第３のユーザ（例えば、選択を受けた医師）とがそれぞれの要求を受け容れることや辞退することがある。第２及び第３のユーザが要求を受け容れた場合に例えば、第１と第２の移動式デバイス１００２と１００４の間並びに第１と第３の移動式デバイス１００２と１００６の間の接続が確立されることがあり、かつ／またはセッション（複数のこともある）が開始されることがある。
【００４７】
第１のユーザが選択した共有画像が１０１４において第２の移動式デバイス１００４上に表示され、また１０１６において第３の移動式デバイス１００６上に表示されることがある。１０１８では、第１のユーザがそれに対する制御を保持している元の画像ビュー（例えば、非共有画像）が表示される。１０２０では、画像の複数の共有ビュー（例えば、共有画像）が表示される。１０２０における複数の画像のうちの幾つかは、第２及び第３の移動式デバイス１００４及び１００６のそれぞれの共有画像ビューに対応しており、また１０２０における複数の画像の別の１つは、第２及び第３の移動式デバイス１００４及び１００６で実施された編集（例えば、定性的及び／または定量的アノテーション（複数のこともある）、編集、計測、その他）を組み入れた画像に対応する。幾つかの例では、第１の移動式デバイス１００２において第２のユーザに関連付けされた共有画像を選択することによって、第１の移動式デバイス１００２は当該画像並びに第１と第２のユーザ間の対応する任意の会話（例えば、対話）を表示することがある。幾つかの例では、第２及び第３の移動式デバイス１００４及び１００６の両方に関する編集を組み入れた共有画像を選択することによって、第１の移動式デバイス１００２はその編集並びに第１のユーザと第２のユーザの間及び第１のユーザと第３のユーザの間の対応する任意の会話を表示することがある。
【００４８】
１０２２及び１０２４では、第２のユーザが共有画像ビュー上にアノテーションをマーキングすることがあり、次いで１０２６及び１０２８においてこれが画像（例えば、第２及び第３の移動式デバイス１００４及び１００６の両者に関する編集を組み入れた画像）の共有ビューに伝達されている。１０３０及び１０３２では第３のユーザが共有画像ビュー上でアノテーションをマーキングすることがあり、次いで１０３４及び１０３６においてこれが共有画像ビューに伝達されている。１０３８では第１のユーザが例えば、セッションに関連付けされた情報（例えば、知見、会話、その他）をレポートに組み入れることがあり、かつ／またはセッションに関連付けされた情報に基づいてレポートが作成されることがある。
【００４９】
図１１は、例えば複数のアクセスデバイスを用いて医用コンファレンシングを容易にするのに使用し得るコンピュータ読み取り可能命令を用いて実現し得る処理法を表した流れ図の一例を示している。図１１の例示の処理は、プロセッサ、制御器及び／または適当な別の任意の処理デバイスを用いて実行させることがある。例えば図１１の例示の処理法は、フラッシュメモリ、読み出し専用メモリ（ＲＯＭ）及び／またはランダムアクセスメモリ（ＲＡＭ）などの有形のコンピュータ読み取り可能媒体上に保存されたコード式命令（例えば、コンピュータ読み取り可能命令）を用いて実現させることがある。本明細書で使用する場合に、有形のコンピュータ読み取り可能媒体という用語は、任意のタイプのコンピュータ読み取り可能記憶を含み伝播用信号は除外するように明示的に規定するものとする。追加としてまたは別法として図１１の例示の処理法は、フラッシュメモリ、読み出し専用メモリ（ＲＯＭ）、ランダムアクセスメモリ（ＲＡＭ）、キャッシュ、あるいは任意の期間にわたって（例えば、長期にわたる、恒久的な、短期間の、一時的バッファリング、及び／または情報キャッシュの目的で）その中に情報が保存される別の任意の記憶媒体などの非一時的コンピュータ読み取り可能媒体上に保存されたコード式命令（例えば、コンピュータ読み取り可能命令）を用いて実現させることがある。本明細書で使用する場合に非一時的コンピュータ読み取り可能媒体という用語は、任意のタイプのコンピュータ読み取り可能媒体を含みかつ伝播用信号は除外するように明示的に規定するものとする。
【００５０】
別法として図１１の例示の処理法のうちの幾つかまたは全部は、特定用途向け集積回路（ＡＳＩＣ）（複数のこともある）、プログラム可能論理デバイス（ＰＬＤ）（複数のこともある）、現場プログラム可能論理デバイス（ＦＰＬＤ）（複数のこともある）、離散的ロジック、ハードウェア、ファームウェア、その他からなる任意の組み合わせ（複数のこともある）を用いて実現させることがある。さらに図１１の例示の処理法のうちの幾つかまたは全部は、手作業で実現させることや、上述の技法のいずれかよりなる任意の組み合わせ（例えば、ファームウェア、ソフトウェア、離散的ロジック及び／またはハードウェアの任意の組み合わせ）（複数のこともある）として実現させることがある。さらに、図１１の例示の処理法は図１１の流れ図に関連して記載しているが、図１１の処理を実現する別の方法が利用されることもある。例えば、各ブロックの実行順序を変更することがあり、かつ／または記載したブロックのうちの幾つかが変更、除去、再分割または合成されることがある。さらに、図１１の例示の処理法のうちの幾つかまたは全部は、逐次式で実行されること、かつ／または例えば個別の処理用スレッド、プロセッサ、デバイス、離散的ロジック、回路、その他によって並列に実行させることがある。
【００５１】
図１１を参照すると１１０２において、方法１１００はコンファレンスが要求されたか否かを判定する。コンファレンスが要求された場合、制御はブロック１１０４に進む。１１０４では、コンファレンスが要求されている。例えば、第１のアクセスデバイスに関連付けされた第１のユーザが第２のアクセスデバイスに関連付けされた第２のユーザとのセッション及び／またはコンファレンスを要求した場合、第２のアクセスデバイスに要求が伝達されることがある。１１０６では方法１１００は、第２のユーザが要求を受け容れたか否かを判定する。第２のユーザがコンファレンス要求を辞退した場合、制御はブロック１１０４に進むと共に別のコンファレンス要求が発せられることがある。
【００５２】
しかし第２のユーザが要求を受け容れた場合は、制御はブロック１１０８に進むと共に第１のユーザは第２のユーザと共有しようとする画像を選択することがある。１１１０では、第１のアクセスデバイスにおいて第１の画像ビュー（例えば、非共有ビュー）及び第２の画像ビュー（例えば、共有ビュー）が表示されることがある。１１１２では、第２のアクセスデバイスに第２の画像ビュー（例えば、共有ビュー）が表示されることがある。
【００５３】
１１１４では方法１１００は、第１のアクセスデバイスにおいてまたは第２のアクセスデバイスにおいて第２の画像ビューの観察用パラメータを修正すべきか否かを判定しており、また１１１６で観察用パラメータを修正することが可能である。観察用パラメータは、パン、ズーム、高度な処理、輝度、コントラストを含むことがあると共に、第１のアクセスデバイスのところにいる第１のユーザまたは第２のアクセスデバイスのところにいる第２のユーザによって修正されることがある。第１のアクセスデバイスにおける第２の画像ビューの観察用パラメータは例えばユーザ入力に基づいて、第２のアクセスデバイスにおける第２の画像ビューの観察用パラメータと同じとすることも異ならせることもある。
【００５４】
１１１８では方法１１００は、第１のアクセスデバイスまたは第２のアクセスデバイスにある第２の画像ビューに対してコンテンツ（例えば、定性的及び／または定量的アノテーション（複数のこともある）、ディクテーション、編集及び／または計測、その他）が追加されたか否かを判定する。コンテンツが追加された場合、制御はブロック１１２０に進むと共に第２の画像ビューの更新が可能である。幾つかの例では、第２のアクセスデバイスのところにいる第２のユーザにより第２の画像ビューにアノテーションが追加された場合、第１のアクセスデバイスにおける第２の画像ビューをこのアノテーションが含まれるように更新することが可能である。幾つかの例では、第１のアクセスデバイスのところにいる第１のユーザが第２の画像ビューにアノテーションを追加した場合、第２のアクセスデバイスにおける第２の画像ビューをこのアノテーションが含まれるように更新することが可能である。
【００５５】
１１２２では方法１１００は、第２の画像ビューのコンテンツを第１の画像ビューに組み込むべきか否かを判定しており、また１１２４においてこの情報を第１の画像ビューに組み込むことが可能である。例えば第１のユーザは、コンテンツ（例えば、アノテーション、編集及び／または計測、その他）を第１の画像ビュー内へのこの情報のドラッグによって第１の画像ビューに組み込むことがある。
【００５６】
１１２６では方法１１０は、レポートを作成すべきか否かを判定しており、１１２８においてレポートを作成することが可能である。例えば、コンファレンスに関連付けされた情報を用いてレポートを作成することが可能である。１１３０では方法１１００は、別のコンファレンスを要求すべきか否かを判定する。要求がなければ本例示方法１１００は終了となる。
【００５７】
図１２は、本明細書に記載した装置及び方法を実現するために使用し得る例示のプロセッサシステム１２１０のブロック図である。図１２に示すようにプロセッサシステム１２１０は、相互接続バス１２１４に結合されたプロセッサ１２１２を含む。プロセッサ１２１２は、適当な任意のプロセッサ、処理ユニットまたはマイクロプロセッサとすることがある。図１２には図示していないが、システム１２１０はマルチプロセッサシステムとすることがあり、またこのためプロセッサ１２１２と同一または同様でありかつ相互接続バス１２１４と通信可能に結合された１つまたは複数の追加のプロセッサを含むことがある。
【００５８】
図１２のプロセッサ１２１２は、メモリ制御器１２２０及び入力／出力（Ｉ／Ｏ）制御器１２２２を含んだチップセット１２１８に結合されている。よく知られているようにチップセットは典型的には、チップセット１２１８に結合された１つまたは複数のプロセッサによりアクセス可能またはこれにより使用されるような、Ｉ／Ｏ及びメモリ管理機能、並びに複数の汎用及び／または特殊目的のレジスタ、タイマ、その他を提供する。メモリ制御器１２２０は、プロセッサ１２１２（複数のプロセッサが存在する場合は複数のプロセッサ）に対してシステムメモリ１２２４及び大容量記憶メモリ１２２５へのアクセスを可能とさせる機能を実行する。
【００５９】
システムメモリ１２２４は、例えばスタチック・ランダムアクセスメモリ（ＳＲＡＭ）、ダイナミック・ランダムアクセスメモリ（ＤＲＡＭ）、フラッシュメモリ、読み出し専用メモリ（ＲＯＭ）、その他などの所望の任意のタイプの揮発性及び／または不揮発メモリを含むことがある。大容量記憶メモリ１２２５は、ハードディスクドライブ、光学式ドライブ、テープ記憶デバイス、その他を含む所望の任意のタイプの大容量記憶デバイスを含むことがある。
【００６０】
Ｉ／Ｏ制御器１２２２はプロセッサ１２１２に対して、Ｉ／Ｏバス１２３２を介した周辺入力／出力（Ｉ／Ｏ）デバイス１２２６及び１２２８並びにネットワークインタフェース１２３０との通信を可能とさせる機能を実行する。Ｉ／Ｏデバイス１２２６及び１２２８は、例えばキーボード、ビデオディスプレイまたはモニタ、マウス、その他など所望の任意のタイプのＩ／Ｏデバイスとすることがある。ネットワークインタフェース１２３０は例えば、プロセッサシステム１２１０に対して別のプロセッサシステムとの通信を可能とさせているイーサネット（商標）デバイス、非同期転送モード（ＡＴＭ）デバイス、８０２．１１デバイス、ＤＳＬモデム、ケーブルモデム、セルラーモデム、その他とすることがある。
【００６１】
図１２にはメモリ制御器１２２０及びＩ／Ｏ制御器１２２２をチップセット１２１８内部の別々のブロックとして図示しているが、これらのブロックにより実行される機能は単一の半導体回路内部に一体化されることがあり、あるいは２つ以上の単独の集積回路を用いて実現されることもある。
【００６２】
ある種の実施形態は、上に記載した機能を実現するための方法、システム並びに任意のマシン読み取り可能媒体上のコンピュータプログラム成果物を企図している。ある種の実施形態は例えば、既存のコンピュータプロセッサを用いるか、本目的や別の目的のために組み込んだ特殊目的コンピュータプロセッサによるか、あるいは配線接続システム及び／またはファームウェアシステムによるか、によって実現させることができる。
【００６３】
ある種の実施形態は、コンピュータ実行可能命令またはデータ構造をこの上に保存するように搭載したまたは有するコンピュータ読み取り可能媒体を含む。こうしたコンピュータ読み取り可能媒体は、汎用または特殊目的のコンピュータあるいはプロセッサを備えた別のマシンによってアクセスを受け得る入手可能な任意の媒体とすることができる。一例としてこうしたコンピュータ読み取り可能媒体は、ＲＡＭ、ＲＯＭ、ＰＲＯＭ、ＥＰＲＯＭ、ＥＥＰＲＯＭ、Ｆｌａｓｈ、ＣＤ−ＲＯＭやその他の光ディスク記憶装置、磁気ディスク記憶装置やその他の磁気記憶デバイス、あるいはコンピュータ実行可能命令またはデータ構造の形態をした所望のプログラムコードを搭載または保存するために使用可能でありかつ汎用または特殊目的のコンピュータあるいはプロセッサを備えた別のマシンによるアクセスが可能な別の任意の媒体を含むことがある。コンピュータ読み取り可能媒体の範囲には、上述のもの組み合わせも含む。コンピュータ実行可能命令は例えば、汎用のコンピュータ、特殊目的コンピュータまたは特殊目的処理マシンに対してある機能またはある機能群を実行させる命令及びデータを含む。
【００６４】
一般にコンピュータ実行可能命令は、特定のタスクを実行するあるいは特定の抽象データタイプを実現するようなルーチン、プログラム、オブジェクト、コンポーネント、データ構造、その他を含む。コンピュータ実行可能命令、対応するデータ構造、及びプログラムモジュールによって、本明細書に開示したある種の方法及びシステムの工程を実行するためのプログラムコードの例が表される。こうした実行可能命令や対応するデータ構造からなるこのシーケンスによって、これらの工程に記述された機能を実現するための対応する作業の例が表される。
【００６５】
本発明の実施形態は、プロセッサを有する１つまたは複数の遠隔コンピュータに対する論理接続を用いたネットワーク環境内で実施されることがある。論理接続には、ローカルエリアネットワーク（ＬＡＮ）やワイドエリアネットワーク（ＷＡＮ）を含むことがある（ただし、ここにおける提示は一例であり限定ではない）。こうしたネットワーク環境は、事業所域内や企業域内のコンピュータネットワーク、イントラネット及びインターネットにおいて極く一般的なものであると共に、広範に異なる多種多様な通信プロトコルを用いることがある。こうしたネットワークコンピュータ処理環境が典型的には、パーソナルコンピュータ、ハンドへルド型デバイス、マルチプロセッサシステム、マイクロプロセッサベースまたはプログラム可能な民生用電子機器、ネットワークＰＣ、ミニコンピュータ、メインフレームコンピュータ、その他を含む多くのタイプのコンピュータシステム構成を包含することになることは当業者であれば理解されよう。本発明の実施形態はさらに、通信ネットワークを通して（有線式リンク、ワイヤレス式リンク、または有線式とワイヤレス式リンクの組み合わせのいずれかによって）リンクさせたローカルやリモートの処理デバイスによってタスクが実行されるような分散型コンピュータ処理環境で実施することもある。分散型コンピュータ処理環境では、ローカルとリモートの両方のメモリ記憶デバイスにプログラムモジュールを配置させることがある。
【００６６】
本明細書ではある種の方法、装置及び製造物について記載してきたが、本特許のカバーする範囲はこれらに限定されるものではない。それどころか本特許は、文字表記上あるいは等価の意味からして添付の特許請求の範囲に相当に属するようなすべての方法、装置及び製造物を包含するものである。
【符号の説明】
【００６７】
１００  医用コンファレンシングまたは画像共有システム
１０２  アクセスデバイス
１０４  アクセスデバイス
１０６  アクセスデバイス
１０８  外部データソース
１１０  外部システム
１１２  ネットワーク
１１４  ユーザインタフェース
２００  医用コンファレンシングまたは画像共有システム
２０２  アクセスデバイス
２０４  アクセスデバイス
２０８  開始器
２１０  表示モジュール
２１２  インタフェース
２１４  データソース
２１６  ツール
２１８  プロセッサ
２２０  開始器
２２２  表示モジュール
２２４  インタフェース
２２６  データソース
２２８  ツール
２３０  プロセッサ
３０２  アクセスデバイス
３０４  アクセスデバイス
８０２  アクセスデバイス
８０４  アクセスデバイス
１２１０  プロセッサシステム
１２１２  プロセッサ
１２１４  相互接続バス
１２１８  チップセット
１２２０  メモリ制御器
１２２２  入力／出力（Ｉ／Ｏ）制御器
１２２４  システムメモリ
１２２５  大容量記憶メモリ
１２２６  周辺入力／出力（Ｉ／Ｏ）デバイス
１２２８  周辺入力／出力（Ｉ／Ｏ）デバイス
１２３０  ネットワークインタフェース
１２３２  Ｉ／Ｏバス
図３〜１０  複数の例示のアクセスデバイスを用いたコンファレンシングワークフロー
図１１  コンファレンシング方法
【図１】
2011238230.tif 000003
【図２】
2011238230.tif 000004
【図３】
2011238230.tif 000005
【図４】
2011238230.tif 000006
【図５】
2011238230.tif 000007
【図６】
2011238230.tif 000008
【図７】
2011238230.tif 000009
【図８】
2011238230.tif 000010
【図９】
2011238230.tif 000011
【図１０】
2011238230.tif 000012
【図１１】
2011238230.tif 000013
【図１２】
2011238230.tif 000014